(57)【要約】【課題】  既刈り側の茎稈列を見易くするための照明装置を、大きな出力を要しないもので、かつ簡単な構造で得る。【解決手段】  搭乗運転部４が設けられた側の機体横一側部に進行方向前方側を照射する照明装置２を設け、照明装置２は、機体の横外方へ延出された支持腕２１を装備し、この支持腕２１に照明灯２０を支持して、照明灯２０の照射方向を、照明灯２０の光軸が前方の刈取前処理装置３のデバイダ先端付近に向く状態と、刈取前処理装置３の刈幅中央付近に向く状態とに向き変更可能に構成されている。【選択図】        図２
2008259443.tif 000002
【特許請求の範囲】
【請求項１】
走行機体の前側横一側部に搭乗運転部を備え、その搭乗運転部よりも前方側に刈取前処理装置が配備されているコンバインであって、
前記搭乗運転部が設けられた側の機体横一側部に進行方向前方側を照射する照明装置を設けるとともに、
前記照明装置は、機体の横外方へ延出された支持腕を装備し、この支持腕に照明灯を支持して、前記照明灯の照射方向を、照明灯の光軸が前方の刈取前処理装置のデバイダ先端付近に向く状態と、刈取前処理装置の刈幅中央付近に向く状態とに向き変更可能に構成されているコンバイン。
【請求項２】
照明装置の支持腕は、この支持腕に支持された照明灯を走行機体の横一側部への取付箇所よりも外側に突出させた第１作業姿勢と、その第１作業姿勢よりも照明灯を機体中央側に近づけた第２作業姿勢状態とに姿勢変更可能に構成されている請求項１記載のコンバイン。
【請求項３】
照明装置は、照明灯の光軸の変更方向を、支持腕の第１作業姿勢では水平方向に沿わせて姿勢変更し、支持腕の第２作業姿勢では上下方向に沿わせて姿勢変更可能に構成されている請求項２記載のコンバイン。
【発明の詳細な説明】
【技術分野】
【０００１】
本発明は、植立穀稈を刈り取る刈取前処理部と、刈り取った穀稈を脱穀処理する脱穀装置とを備えて刈取脱穀処理を行うコンバインに関する。
【背景技術】
【０００２】
この種のコンバインでは、夕刻や夜間での刈取作業を可能にするように刈取前処理装置の上方箇所に横幅の広い作業灯を付設したものがある（例えば特許文献１）。
また、前照灯を作業灯としても有効に使えるように、搭乗運転部が設けられた既刈り側に配備されている前照灯の照射領域を刈り幅の全体にわたるように工夫したものもある（例えば特許文献２）。
【０００３】
【特許文献１】特開２００５−１６０４９２号公報（段落〔００１４〕、図１）
【特許文献２】特開２００７−７３号公報（段落〔００４７〕、図１，２）
【発明の開示】
【発明が解決しようとする課題】
【０００４】
特許文献１に記載のように、刈取前処理装置の上方箇所に横幅の広い作業灯を付設した構造のものでは、刈取前処理装置の前方の穀稈群を全体的に見通すには有効である。しかしながら、搭乗運転部の操縦者が目視したい刈取対象茎稈のうちの最既刈り側に存在する茎稈列に対しては、その最既刈り側の茎稈の根元部に十分な光が照射されず、逆に作業灯から照射される光の陰になる可能性もあって、あまり有効ではない。しかも、広範囲を十分な光量をもって照射するためには照明灯の規模や出力としても比較的大きなものを必要とした。
【０００５】
また、特許文献２に記載のように、前照灯を作業灯としても有効に使えるように、搭乗運転部が設けられた既刈り側に配備されている前照灯の照射領域を刈り幅の全体にわたるように工夫したものでは、搭乗運転部に位置する運転者の直前方に対しても十分な投光が行えることになる。したがって、最既刈り側の茎稈列に対しても前照灯の光を照射して、夜間での刈取作業を行い易くなる点では有用なものであるが、このように前照灯の照射範囲を広くするために、前照灯自体の構造の複雑さを招いたり、出力の大きな照明灯を用いる必要があった。
【０００６】
本発明の目的は、搭乗運転部に位置する操縦者が、コンバインの刈取作業として必要な、既刈り側の茎稈列を見易くするための照明装置を、大きな出力を要しないもので、かつ簡単な構造で得ることにある。
【課題を解決するための手段】
【０００７】
上記目的を達成するために講じた本発明の技術手段は、次の点に構成上の特徴、及び作用効果がある。
〔解決手段１〕
本発明は、請求項１の記載のように、走行機体の前側横一側部に搭乗運転部を備え、その搭乗運転部よりも前方側に刈取前処理装置が配備されているコンバインにおいて、
前記搭乗運転部が設けられた側の機体横一側部に進行方向前方側を照射する照明装置を設けるとともに、
前記照明装置は、機体の横外方へ延出された支持腕を装備し、この支持腕に照明灯を支持して、前記照明灯の照射方向を、照明灯の光軸が前方の刈取前処理装置のデバイダ先端付近に向く状態と、刈取前処理装置の刈幅中央付近に向く状態とに向き変更可能に構成されている点に特徴がある。
【０００８】
〔作用効果〕
上記構成によると、搭乗運転部が設けられた側の機体横一側部に設けられた照明装置の照明灯の照射方向を、照明灯の光軸が前方の刈取前処理装置のデバイダ先端付近に向く状態と、刈取前処理装置の刈幅中央付近に向く状態とに向き変更可能に構成されているので、照射範囲を刈り幅の全体にわたるような広範囲に設定する必要がない。
したがって、照明灯としては、さほど出力の大きいものでなくとも、操縦者が目視したい部位を中心として光軸を設定すれば、目的の箇所に集中的に照射して十分な光量を確保し目視し易くなる。
【０００９】
また、照明装置は、機体の横外方へ延出された支持腕を装備し、この支持腕に照明灯を支持して、機体の横外方側から最既刈り側の茎稈列を照射するなど、操縦者の目線よりも少し横側方から目標箇所を照射することが可能となる。
したがって、目線と同じ方向から光りを照射した場合、最前方位置に存在する茎稈は十分な光量で視認することはできるが、その後方側に隠れる茎稈は、前方に位置する茎稈等の陰になって目視し難くなる傾向があるが、本発明のように、目線よりも少し横側方から光りを照射すると、このような問題を回避できる。つまり、目線よりも少し横側方から照射される光は、最前端位置の茎稈の後方に位置する茎稈に対しても光を照射し易くなるため、後続の茎稈を列として把握し易くなり、茎稈列に沿った機体操縦を行い易くなる利点がある。
【００１０】
〔解決手段２〕
請求項２の記載のように、照明装置の支持腕は、この支持腕に支持された照明灯を走行機体の横一側部への取付箇所よりも外側に突出させた第１作業姿勢と、その第１作業姿勢よりも照明灯を機体中央側に近づけた第２作業姿勢状態とに姿勢変更可能に構成するとよい。
【００１１】
〔作用効果〕
上記構成によると、照明装置が照明灯の光軸の向き変更を行えることのみならず、支持腕の姿勢変更によって照明灯の照射位置も走行機体の内外方向で変更可能であるから、照射対象箇所に対する照射状態を多様に選択することが可能となる。
また、照明灯を機体中央側へ寄せた状態に位置変更できるので、照明灯を大きく機体外方へ突出させた状態で使用していたとしても、照明装置の不使用時には邪魔になりにくい状態に姿勢変更して格納し得る利点もある。
【００１２】
〔解決手段３〕
請求項３の記載のように、照明装置の照明灯の光軸の変更方向を、支持腕の第１作業姿勢では水平方向に沿わせて姿勢変更し、支持腕の第２作業姿勢では上下方向に沿わせて姿勢変更可能に構成するとよい。
【００１３】
〔作用効果〕
上記のように、支持腕の姿勢と照明灯の光軸の変更方向とを設定すると、支持腕に対する照明灯の姿勢変更を一軸周りの回動操作によるだけの簡単な構造で、光軸の変更方向を上下左右の各方向へ変更できる利点がある。
【発明を実施するための最良の形態】
【００１４】
〔コンバインの全体構成〕
以下、本発明の実施の形態の一例を図面の記載に基づいて説明する。
図１および図３に、本発明に係るコンバインとしての全稈投入型コンバインの全体側面が、また、図２に、その全体平面がそれぞれ示されている。
このコンバインは、左右一対のクローラ走行装置１を備えた機体１０に、操縦塔４０と運転座席４１とを備えた搭乗運転部４、軸流型の脱穀装置５、および、穀粒収容器６が搭載されるとともに、前記脱穀装置５の前部に後部側の横軸芯周りで上下揺動自在に刈取り作物搬送用のフィーダ７が連結され、このフィーダ７の前端に機体横幅に相当する刈幅を有する刈取前処理部３が連結された構造となっている。前記運転部４における座席下方に、エンジン１１を収容した原動部が設けられている。
【００１５】
〔刈取前処理部の構成〕
刈取前処理部３は、左右一対の分草フレーム３０に亘ってバリカン型の刈取装置３１、刈り取った作物を横送りして前記フィーダ７の始端部に送り込むオーガ３２が架設された構造となっており、分草フレーム３０の前端側にはデバイダ３３が装着されている。
前記フィーダ７と機体１０との間に架設された油圧シリンダ（図外）の伸縮作動によって刈取前処理部３がフィーダ７と一体に昇降されるようになっている。また、刈取前処理部３の前部上方に、植立した作物を後方に掻き込む掻込みリール３５が装備されている。
【００１６】
掻込みリール３５自体は側面形状が五角形に構成され、その角部に回転可能に横架した丸パイプ製のタイン取付け杆３６に多数本のタイン３７が並列装着されている。このタイン３７の駆動形態は周知のものであるため、詳細な構造の説明は省略するが、前記タイン取付け杆３６は、掻込みリール３５の前方への公転に対応して逆方向に同速度で相対的に自転されることで、掻込みリール３５の回転にかかわらず常に一定姿勢にあるように構成されており、これによって各タイン取付け杆３６に取付けられたタイン３７が常に下向きの掻き込み姿勢に維持されるようになっている。
【００１７】
〔照明装置の構成〕
搭乗運転部４の操縦塔４０には、図１及び図２に示すように、その左横側部に位置させて前照灯４５が付設されているとともに、走行機体１０の既刈り側に相当する右側部に位置させて照明装置２が配備されている。
この照明装置２は、図３及び図４に示されるように、作業灯となる照明灯２０と、その照明灯２０を支持する支持腕２１とで構成されており、支持腕２１の基端部が前記操縦塔４０に取り付けられている。
【００１８】
照明装置２の支持腕２１は、操縦塔４０の横側面に対する取付用ブラケット２２と、その取付用ブラケット２２に対して、前後方向に沿う横軸芯Ｐ１周りで相対回動可能に連結された断面Ｌ形の腕杆２３と、その腕杆２３の遊端側に、前記横軸芯Ｐ１と直交する方向の縦軸芯Ｐ２周りで回動可能に設けたコの字状のホルダー２４とで構成されている。
照明灯２０は、前記ホルダー２４に対して、そのホルダー２４の両側の立ち上がり片２４ａ間に挿通した枢支軸２５を介して、その枢支軸２５の軸芯である第３軸心Ｐ３周りで回動可能に取り付けられている。この第３軸心Ｐ３は、前記横軸芯Ｐ１及び縦軸芯Ｐ２の何れに対しても直交する方向に向けられている。
尚、前記取付用ブラケット２２の一部には、腕杆２３が機体横外方へ延出された状態でそれ以上下がらないように下方への移動を阻止するストッパー２２ａが設けられている。
【００１９】
上記のように構成された支持腕２１は、取付用ブラケット２２と腕杆２３とが連結ボルト２６で連結され、腕杆２３とホルダー２４とは、ホルダー２４の底面側に突設されたネジ杆２４ｂを腕杆２３の遊端側に穿設した連結孔に挿通して、そのネジ杆２４ｂに螺合するナット２７で連結するように構成されている。
これによって、腕杆２３の姿勢変更は、連結ボルト２６の締め付けを緩めて前記横軸芯Ｐ１周りに姿勢変更し、変更後に締め付け固定することで行われる。
照明灯２０の向き変更は、前記ネジ杆２４ｂに螺合するナット２７を緩めてホルダー２４の向きを前記縦軸芯Ｐ２周りに変更し、変更後に再度締め付けて固定することにより行われる。
また、必要に応じて、ホルダー２４と照明灯２０との間でも、前記枢支軸２５となるボルト・ナットを弛緩させて軸芯Ｐ３周りに向き変更し、その後にボルト・ナットを締めて付けて固定することにより、照明灯２０の向きを変更することができる。
【００２０】
したがって、照明装置２は、支持腕２１の腕杆２３が機体横外方へ延出された状態で、前記ネジ杆２４ｂに螺合するナット２７を操作して、図２及び図４に示すように、照明灯２０の向きを前記縦軸芯Ｐ２周りで変更して、前方の刈取前処理装置のデバイダ先端付近に向く光軸ａ１と、刈取前処理装置の刈幅中央付近に向く光軸ａ２とが得られるように、向き変更可能に構成してある。
そして、支持腕２１の腕杆２３が機体横外方へ延出された状態から、前記横軸芯Ｐ１周りに回動させて腕杆２３を図５（ロ）に示すように起立させると、照明灯２０は、前記横軸芯Ｐ１の位置よりもよりも機体中央側に寄せられて、この図５（ロ）、及び図３に仮想線で示すように、操縦塔４０の前面側に位置する状態となる。
この状態では、前記縦軸芯Ｐ２周りでホルダー２４を向き変更すると、照明灯２０は上下方向で向き変更され、前記第３軸心Ｐ３周りで向き変更されると照明灯２０は水平方向に向き変更される。
【００２１】
〔その他〕
図１、及び図６，図７に示すように、搭乗運転部４の後方側で脱穀装置５の前方側の箇所には、燃料タンク１２が設けてあり、この燃料タンク１２の上部開口にはブレザー装置としてブレザーホース１３が接続されている。
このブレザーホース１３は、前記燃料タンク１２の上部開口から一旦上方側へ立ち上がったのち、終端側が前記燃料タンク１２の上部開口よりも下方位置で下向きに開放されるように、中間部を穀粒収容器６の前壁部分６Ａに係止して、上方側へ半円状に突曲した形状で連通接続されている。
そして、前記ブレザーホース１３の下向き開放状態の終端部は、図６、図７に示すように、穀粒収容器６の前壁部分６Ａに取り付けられた止め金具１４に外嵌した状態で係止されている。
この止め金具１４は、ブレザーホース１３の内径よりも少し幅広の平板材をクランク状に屈曲させて前記前壁部分６Ａに固定したものであり、一端側を前壁部分６Ａに対してボルト止めされ、他端側を上方に向けて起立姿勢にしたものであり、その起立姿勢部分に前記ブレザーホース１３の終端部を嵌め込んで止め付けてある。
【００２２】
〔他の実施形態例〕
本発明は、以下のような形態で実施することもできる。
［１］上述の実施形態では、コンバインとして全稈投入型のコンバインを例示したが、自脱型コンバインであっても本発明を適用することができる。
［２］  照明装置２の支持腕２１としては、実施の形態で示したような腕杆を用いたものに限らず、伸縮機構を用いたり、屈折リンクを用いるなど、照明灯２０の位置を変更し得る構造であれば自由に採用することができる。
【図面の簡単な説明】
【００２３】
【図１】全稈投入型コンバインの左側面図
【図２】全稈投入型コンバインの平面図
【図３】照明装置部分を示す右側面図
【図４】照明装置部分を示す平面図
【図５】照明装置部分を示す正面図
【図６】燃料タンクのドレンパイプ部分を示す右側面図
【図７】ドレンパイプの止め構造を示し、（イ）が斜視図、（ロ）が断面図
【符号の説明】
【００２４】
２              照明装置
３              刈取前処理部
４              搭乗運転部
５              脱穀装置
６              穀粒収容器
２０            照明灯
２１            支持腕
４０            操縦塔
【図１】
2008259443.tif 000003
【図２】
2008259443.tif 000004
【図３】
2008259443.tif 000005
【図４】
2008259443.tif 000006
【図５】
2008259443.tif 000007
【図６】
2008259443.tif 000008
【図７】
2008259443.tif 000009